(57)【特許請求の範囲】
【請求項１】
主筋とその一側に配筋されるフープ筋とを結束する主筋結束金具であり、主筋の外周に沿ってＵ字状をなす上下の主筋把持部と、この上下の主筋把持部間においてフープ筋の外周に沿ってＵ字状をなすフープ筋把持部と、前記主筋把持部において前記主筋を主筋把持部とによって挟持する固定ボルトとを有し、かつ前記主筋把持部に前記主筋の一側に取り付けられる補強リングを支持するフックを有して構成してなることを特徴とする鉄筋結束金具。
【発明の詳細な説明】
【０００１】
【発明の属する技術分野】
この発明は、特に場所打ちコンクリート杭で使用される鉄筋かごの主筋と主筋の外側にせん断補強筋として配筋されるフープ筋またはスパイラル筋とを結束するための鉄筋結束金具に関する。
【０００２】
【従来の技術】
場所打ちコンクリート杭には、例えば図５（ａ），（ｂ）に図示するように掘削された竪孔内に複数の主筋２０とこの主筋２０の外側にフープ筋またはスパイラル筋、あるいはその両方（以下、「フープ筋２１」という）がせん断補強筋として配筋されている。
【０００３】
また、主筋２０とフープ筋２１は予め地上で円筒形状をなす鉄筋かごに組み立てられた後、クレーン等で吊って竪孔に一緒に建て込まれている。ところでこれまで、主筋２０とフープ筋２１は接点部を溶接する等して結束されている。
【０００４】
【発明が解決しようとする課題】
しかし、主筋２０とフープ筋２１との溶接作業は、天候や作業者の技量などによって溶接精度が大きく左右され、溶接不良などのために信頼性に欠ける等の課題があった。
【０００５】
また、溶接熱が主筋の材質・強度を変えてしまうような悪影響をおよぼすことが知られており、特に先の阪神大震災以来、溶接による結束の自粛がのぞまれている。
【０００６】
この発明は、以上の課題を解決するためなれたもので、特に主筋とフープとを確実に、しかもきわめて簡単に結束できるようにした鉄筋結束金具を提供することを目的とする。
【０００７】
【課題を解決するための手段】
請求項１記載の鉄筋結束金具は、主筋とその一側に配筋されるフープ筋とを結束する主筋結束金具であり、主筋の外周に沿ってＵ字状をなす上下の主筋把持部と、この上下の主筋把持部間においてフープ筋の外周に沿ってＵ字状をなすフープ筋把持部と、前記主筋把持部において前記主筋を主筋把持部とによって挟持する固定ボルトとを有し、かつ前記主筋把持部に前記主筋の一側に取り付けられる補強リングを支持するフックを有して構成してなることを特徴とする。
【０００９】
【発明の実施の形態】
実施の形態１．
図１（ａ）〜（ｃ）は、鉄筋結束金具の一例を示し、想定した円周上に複数の主筋１が円周方向に所定間隔に配筋され、その外側にフープ筋２がリング状に配筋されている。また、主筋１とフープ筋２との接点部に鉄筋結束金具３が取り付けられ、この鉄筋結束金具３によって主筋１とフープ筋２が結束されている。
【００１０】
さらに、必要に応じて主筋１の内側に帯鋼または鉄筋などからなる補強リング（力骨補強リングともいう）４がフープ筋２に沿ってリング状に取り付けられている。こうして、所定径の鉄筋かご５が組み立てられている。
【００１１】
鉄筋結束金具３は、主筋１の外周に沿って鉄筋かご５の外側から内側にＵ字状をなす主筋把持部３ａとフープ筋２に沿って鉄筋かご５の外側から内側にＵ字状をなすフープ筋把持３ｂとをそれぞれ有し、主筋把持部３ａは上下方向に所定間隔に形成され、フープ筋把持部３ｂは主筋把持部３ａ，３ａ間に主筋把持部３ａと連続し、一体に形成されている。
【００１２】
また、主筋把持部３ａの一側部にフープ筋２の軸方向に貫通するボルト孔３ｃがそれぞれ形成され、このボルト孔３ｃの外側に固定ナット６が溶接することにより取り付けられている。また、固定ナット６に固定ボルト７がボルト孔３ｃを貫通し、主筋１に当接した状態で螺合されている
そして、固定ボルト７を強く締め付けることで、鉄筋結束金具３が主筋１に固着され、この鉄筋結束金具３を介して主筋１とフープ筋２が強固に結束されている。
【００１３】
なお、主筋把持部３ａとフープ筋把持部３ｂは、一枚の鋼板を例えば図４（ａ）に図示するように切断し、ボルト孔３ｃを形成し、かつ要所を折り曲げることにより簡単に形成されている。
【００１４】
また、主筋把持部３ａとフープ筋把持部３ｂは鋳造でも形成することができ、その場合にはボルト孔３ｃに固定ボルト７を螺合するねじを直接形成することにより固定ナット６を省略することができる。
【００１５】
図２（ａ）〜（ｃ）は、鉄筋結束金具の他の一例を示し、主筋１の内側に力骨補強リング４を有する場合に使用されるもので、下側の主筋把持部３ａの先端部にフック３ｄを突設し、このフック３ｄで力骨補強リング４を支持するようにしたものである。なお、フック３ｄを有するものも図４（ｂ）に図示するように一枚の鋼板から形成されている。
実施の形態２．
図３（ａ）〜（ｃ）は、同じく鉄筋結束金具の一例を示し、特に上側の主筋把持部３ａが鉄筋かご５の円周方向（フープ筋２の軸方向）に沿ってＵ字状をなし、下側の主筋把持部３ａが鉄筋かご５の外側から内側に沿ってＵ字状をなしている。
【００１６】
また、フープ筋把持部３ｂに鉄筋かご５の外側から内側に貫通するボルト孔３ｃが形成され、ボルト孔３ｃの外側に固定ナット６が取り付けられている。その他の構成は図１〜図２で説明した鉄筋結束金具と略同じである。
【００１７】
そして、固定ボルト７を強く締め付けることで主筋１とフープ筋２と力骨補強リング４が固定ボルト７とフック３ｄで強く挟み付けられて結束される。
この鉄筋結束金具３においても、主筋把持部３ａとフープ筋把持部３ｂとフック３ｄは、一枚の鋼板を例えば図４（ａ）に図示するように切断し、ボルト孔３ｃを形成し、かつ要所を折り曲げることにより簡単に形成されている。
【００１８】
また、主筋把持部３ａとフープ筋把持部３ｂとフック３ｄは鋳造でも形成することができ、その場合にはボルト孔３ｃに固定ボルト７を螺合するねじを直接形成することにより固定ナット６を省略することができる。
【００１９】
【発明の効果】
この発明は以上説明した構成からなり、特に固定ボルトを締めつけるだけで主筋とフープ筋をきわめて簡単にかつ強固に結束することができる。
【００２０】
また、溶接を一切使用しないので、主筋の強度を変えてしまうような悪影響を及ぼすこともなく、異種材質の主筋とフープ筋も全く問題なく結束することができる。
【００２１】
また、簡単な構造なので製作も容易であり、量産による製作コストの低減も可能である。
さらに、主筋の一側に取り付けられた力骨補強リングも同時にフックに支持させて結束することができる。
【００２２】
さらに、簡単な構造なので製作も容易であり、量産による製作コストの低減も可能である。
【図面の簡単な説明】
【図１】（ａ）は鉄筋かごの平面図、（ｂ）は鉄筋結束金具の斜視図、（ｃ）は鉄筋結束金具による主筋とフープ筋との結束状態を示す斜視図である。
【図２】（ａ）は鉄筋かごの平面図、（ｂ）は鉄筋結束金具の斜視図、（ｃ）は鉄筋結束金具による主筋とフープ筋と力骨補強リングとの結束状態を示す斜視図である。
【図３】（ａ）は鉄筋かごの平面図、（ｂ）は鉄筋結束金具の斜視図、（ｃ）は鉄筋結束金具による主筋とフープ筋と力骨補強リングとの結束状態を示す斜視図である。
【図４】主筋把持部とフープ筋把持部を一体形成するために切断加工された鋼板の展開図である。
【図５】（ａ）は場所打ち鉄筋コンクリート杭の断面図、（ｂ）は鉄筋かごの斜視図である。
【符号の説明】
１  主筋
２  フープ筋（フープ筋またはスパイラル筋）
３  鉄筋結束金具
３ａ  主筋把持部
３ｂ  フープ筋把持部
３ｃ  ボルト孔
３ｄ  フック
４  補強リング（力骨補強リング）
５  鉄筋かご
６  固定ナット
７  固定ボルト
【図１】
0003638090.tif 000002
【図２】
0003638090.tif 000003
【図３】
0003638090.tif 000004
【図４】
0003638090.tif 000005
【図５】
0003638090.tif 000006